(57)【特許請求の範囲】
【請求項１】
銃器（１）に適用される弾薬筒を排出するためのシステムであって、
前記銃器（１）は銃尾（１４）、および銃身（１３）を通って出てくる発射体が発火される発火薬室（１２）を含み；
前記排出システムは弾薬の爆燃後の使用済の弾薬筒を受けとるための排出トレイ（２）および前記トレイ（２）を動かすための動作機構（３）を含み；
前記システムは、動作機構（３）が排出トレイ（２）を銃器（１）の銃身（１３）の軸に平行に、軸（Ｘ）の周囲を回転させ、弾薬筒が受けとられる第１の位置から、弾薬筒が排除機構（５）によって排出される第２位置へ、およびその逆に第２の位置から第１の位置へ通過させるシステムであって、以下の安全機構を含む；
弾薬筒を排出するためのシステムは、動作機構（３）の故障の場合に、排出トレイ（２）を動かし、かくして装填機構によるトレイ（２）の衝撃の結果として生じる損傷の開始を防止するための安全機構で、該安全機構は、作動器（３１）に接続される油圧回路に備えられる、少なくとも１つの逃がし弁を含み、前記逃し弁は、排出トレイ（２）が、装填機構が一定の操作段階に到達するときなお第１の位置にある場合にのみ作動し、そのとき、油圧回路が空になり、トレイ（２）をピン（１１１）の周囲に回転して待機させるようになっている。
【請求項２】
動作機構（３）が、排出トレイ（２）の動作が銃器（１）内で実施される前記機構のその余の部品の動作と連動するように、ギア機構（３２）によりトレイ（２）それ自身に作用する排出トレイ（２）のための動作作動器（３１）を含む請求項１に記載のシステム。
【請求項３】
動作機構（３）は、動作機構（３）が排出トレイ（２）に当たる衝撃を回避し、振動を減らすため行程端に接近するにつれ減速される、請求項２に記載のシステム。
【請求項４】
排出トレイ（２）が、弾薬筒保持機器（２２）を含み、その中に接触部分（２２１）を含み、前記排出トレイ（２）の内側に弾薬筒自身の存在を検出し、前記弾薬筒がトレイ（２）内にあるとき、弾薬筒の受け取りの信号を発生することができる、請求項１に従うシステム。
【請求項５】
排出トレイ（２）は、弾薬筒がトレイ（２）に入りつつあるとき発火薬室（１２）からくる弾薬筒を減速するため、制動機器（２３）を含む請求項１に従うシステム。
【請求項６】
排出トレイ（２）が第２の位置に到達すると、そこに含まれる弾薬筒は、弾薬筒の最終的排除のため弾薬筒を管路で運ぶため適用される剛体管（５１）、および弾薬筒を少なくとも１つの押し出し部分（５２１）によって排出トレイ（２）から管（５１）の方へ押し出すため少なくとも１つの作動器（５２）を含む排除機構（５）によって解放される請求項２に従うシステム。
【請求項７】
排除機構（５）は、前記弾薬筒が排出トレイ（２）の方へ戻る場合に、前記剛体管（５１）内側に設置された停止部分（５３１）を含む戻り防止機器（５３）を含む請求項６に記載のシステム。
【請求項８】
排出トレイ（２）の第２の位置から第１の位置への経路で、装填機構がその操作段階をなお実施している場合に、装填機構は、動作機構（３）が新しい銃弾筒を受け入れるためトレイ（２）の戻りを第１の位置にする前に装填機構の操作段階を終了する請求項６に従うシステム。
【発明の詳細な説明】
【技術分野】
【０００１】
本発明は銃器、標準的にはキャノン砲の火薬薬室あるいは発火薬室から弾薬筒を排出するための、望ましくは弾薬の爆燃に続く弾薬筒を排出するためのシステムの使用法に関する。
【背景技術】
【０００２】
弾薬は弾薬の爆燃のための銃粉末および標的に向かって銃器によって発火される発射体を含む弾薬筒から基本的に作られる。
【０００３】
このような発射体は“高度の処理能力があり”、射撃の後、発射体自身の方向を変え得る、即ち標的を確認しそして標的を撃つシステムを含む。
【０００４】
標準的に、弾薬筒を排出するシステムは弾薬の発火に続く弾薬筒を受けとるために適用される排出トレイを含む。
【０００５】
このようなトレイは弾薬筒を受けとることができるように銃器の銃身の軸に標準的に位置付けられる。
【０００６】
次いで、このようなトレイは動作機構によって弾薬筒を最終的に排出されるように動かされる。
【０００７】
このような動作システムは標準的には遅く、銃器の発射頻度を減じ、そしてまた不
安定であり、これは特に極限的な条件において、例えば、もし第６艦隊そしてそれ以上の条件の軍艦に適用されるならば、前記動作システムはその任務を行うことができないので、全銃器を駄目にする危険にしばしばさらすからである。さらに、標準的に、このような弾薬筒を排出するための機構は機能喪出、例えば、動作機構の場合に動作機構および装填機構の間の事故を避け得る安全なシステムで準備されていない。
【発明の概要】
【発明が解決しようとする課題】
【０００８】
本発明は極端な条件でさえ、弾薬筒を発火薬室によって常に排出される安定である弾薬筒を排出するためのシステムを作ることによってこのような技術的欠陥を解決することを提案する。
【０００９】
さらに、このようなシステムは部品の機能喪失の場合に種々の機構間の衝突および事故の可能性を減らす。
【００１０】
本発明の１つの観点はこのような操作を行うに必要な時間を短縮できる銃器の弾薬筒を排出し、かくして銃器自身が発火される頻度を増加することを可能とするシステムに関係する。
【００１１】
本発明のさらなる観点は銃器に適用される排出システムおよび種々の機構あるいはシステム間の衝突を避け得ることができる安全機器に関係する。
【００１２】
［本発明の詳細な説明］
このような弾薬筒を排出するためのシステムの特徴および利点は特に図示される付帯の図面を参照して以下の実施態様の説明からさらに明瞭である。
【図面の簡単な説明】
【００１３】
【図１】図１は本発明に従う、弾薬筒を排出するためのシステムが適用される携帯用    銃の構造を示す；
【図２】図２は本発明に従うシステムを側面から詳細に図示する；
【図３】図３は本発明に従うトレイの動作機構を図示する；
【図４】図４はシステムが動くときとり得る位置の概念的図面を示す；
【図５】図５は銃器に適用される位置“Ｂ”のシステムの後面を図示する；
【図６Ａ】図６Ａは本発明に従う銃弾筒保持機器を示す；
【図６Ｂ】図６Ｂは本発明に従う制動機器を示す；
【図７】図７は位置“Ｃ”にトレイをもつ弾薬筒を排出するための機構を図示する；
【図８】図８は位置“Ｃ”にトレイをもつ弾薬筒を排出するためのシステムの後部透    視図を図示する；
【図９】図９は本発明に従うトレイを後面で図示する。
【発明を実施するための形態】
【００１４】
図面を参照して、弾薬筒を排出するためのシステムは銃尾１４、発射体が発火され銃身１３から出てくる発火薬室１２を典型的に含む銃器１に適用される。
【００１５】
このような箱形保護構造体１１に囲まれる排出システムは弾薬の爆燃に続く弾薬筒を受けとるため適用される排出トレイ２およびこのようなトレイ２を動かすために適用される動作機構３を含む。
【００１６】
このような弾薬筒を排出するためのシステムは、動作機構３が２重の作動機構であり、即ち、動作機構３がトレイ２を銃器１の銃身１３の軸に平行である軸“Ｘ”の周囲を回転させ、銃弾筒を最終的に排除しそして続いて起こる戻りのためトレイ２を排除機構５に到達させること；このような回転は、装填機構によって発火薬室１２内に弾薬の装填と同時に弾薬筒を排除することを可能にすることを特徴としている。
【００１７】
このような弾薬筒を排出するためのシステムは動作機構３が機能喪失の場合にトレイ２を動かすため適用される安全機構をさらに含む。
【００１８】
このようなこのような安全機構は発火薬室１２内に新しい弾薬を挿入するために適用される装填機構でトレイ２の衝撃の結果として起こる損傷の攻撃を防ぐ。
【００１９】
トレイ２は銃器１から弾薬筒を受けとるような寸法をもつ望ましくは円形であり、そして軸“Ｘ”の周囲でトレイ２の回転の間、それは図４に図示されるように３つの異なる位置をとることができる。
【００２０】
位置“Ａ”において、トレイ２は銃器１の銃身１３の軸と１直線となり、弾薬筒を受けとるため待機する。
【００２１】
位置“Ｂ”は安全位置と定義され、トレイ２は動作機構３が機能喪失の場合にとる位置である。
【００２２】
位置“Ｂ”は位置“Ａ”内に戻る前の中間位置でまたある。
【００２３】
位置“Ｃ”はトレイ２が含まれる弾薬筒を排除機構５によって取り除かれなければならないときにとる位置である。
【００２４】
弾薬筒が排除されると、トレイ２はさらなる発射筒を受け入れるように位置“Ａ”に戻る。
【００２５】
上記のように、位置“Ｃ”から位置“Ａ”に通過するとき、トレイ２は、例えば、装填機構がその操作をまだ終了していない場合に位置Ｂに停止し得て、装填機構が開放されるとそれから位置Ａに戻るため、関わっている部品間の衝突の可能性を避ける。
【００２６】
上記のように、トレイ２の回転動作は、ピン１１１にヒンジ留めされるようなトレイ２に含まれる望ましくはＵ字形の鉤留め部分２１によって軸“Ｘ”の周囲に起きる。
【００２７】
このようなピン１１１は支持フランジ１１２によって箱形構造体１１に固定される。
【００２８】
トレイ２の動作は、ギア機構３２によってトレイ２自身に作用するトレイ２に専用の、望ましくは動力学の２重の作用動作作動器３１を含む動作機構３によって行われる。
【００２９】
トレイ２の動作は、弾薬筒が受けとられる第１の位置“Ａ”から、弾薬筒が排除機構５によって排除される第２の位置“Ｃ”に、そしてその逆に、予め組み込まれたそして適当にリズミカルなように、銃器１で実施される機構のその余の部品の動作と連動され得る。
【００３０】
排除システムの通常の操作条件で、トレイ２が弾薬筒を受けとるとき、弾薬筒はトレイ２自身内に受けとられる。
【００３１】
前記トレイ２は弾薬の爆燃に続く銃器１の跳ね返りの間、衝撃を避けるように発火薬室から一定の距離を考慮しなければならない。
【００３２】
弾薬筒が来る発火薬室１２に関するトレイ２の位置は銃器１の傾斜角度に従って変化する。
【００３３】
このような薬室１２から引き出される銃弾筒は銃器１の傾斜角度に従って異なって重力の効果を受け、そしてそれ故トレイ２は常に弾薬筒を受けとることができるように正しく位置付けされる。
【００３４】
トレイ２は銃弾筒保持機器２２および制動機器２３を含む。
【００３５】
銃弾筒はトレイ２内に正しい挿入のため適当な一定の速度でトレイ２内に到達する。記載の実施態様において、このような速度は銃弾筒がトレイ２内にあるとき銃弾筒受け取りの信号を発生する銃弾筒保持機器２２を活性化するようにさらに利用される。
【００３６】
図示される実施態様において、実施例としてそして目的に制約をしないで、弾薬筒は弾薬の爆燃の結果として起きる発火薬室の跳ね返りを利用してトレイ２内に挿入される。
【００３７】
受信信号は、動作機構３を活性化する銃器１にあるシステム、機構および機器を制御しそして活性化するため適切である制御機器によって受信される。
【００３８】
このような銃器保持機器２２はトレイ２内の弾薬筒自身の存在を検出するために適用される弾薬筒を伴う接触部分２２１を含み、受信信号を制御機器へ送信する。
【００３９】
次ぎの実施態様において、接触部分２２１は、トレイ２に挿入される弾薬筒の縦方向の軸に関して望ましくは垂直である軸の周囲を回転するように、ヒンジ留めされる望ましくは金属の要素である。
【００４０】
第１の梃子機構による接触部分２２１の回転は受信される弾薬筒の信号を制御機器に伝達するような保持機器２２を活性化する。
【００４１】
制動機器２３は、発火薬室１２からトレイ２内へ弾薬筒の挿入で弾薬筒の速度を落とすために、望ましくは弾薬筒保持装置２２によって制御機器へ受信信号を送信する後で適用される。
【００４２】
このような制動機器２３は、保持装置２２をトレイ２内の弾薬筒の存在を検出させるいずれの場合でも、弾薬筒およびトレイ２の底の間の衝突を避けることを可能とする。
【００４３】
図６Ｂに図示される実施態様において、制動機器２３は衝撃吸収器２３３に接続される接触板２３１、第２の梃子機構２３２を望ましくは含む。
【００４４】
弾薬筒の縦方向の軸に望ましくは垂直である軸でピンの周囲を回転する前記板２３１は弾薬筒の底と接触し、そして衝撃吸収器２３３に接続される梃子機構の助けで、前記板２３１は弾薬筒の速度を落とす。
【００４５】
例えばゴムの緩衝器２５は前記トレイ２の底に適用され、前記弾薬筒がもし制動機器２３によって十分に速度を落とされなかったら、弾薬筒の衝撃を和らげるため適用される。
【００４６】
受信信号が制御機器によって受信されとき、制御機器は位置“Ａ”から位置“Ｂ”を通過して位置“Ｃ”に通過するような方法で動作機構３を活性化し、ここで位置“B”は他の２つの位置の間の望ましくは約半分の行程である。
【００４７】
このようなシステムで、銃器１の発火頻度は、銃器１の異なる発射段階が殆ど同時に行われるので、増加される。
【００４８】
図示される実施態様において、位置“Ｃ”は位置“Ａ”に関してトレイ２の約１３０°の望ましくは回転である；従って位置“Ｂ”は位置“Ａ”に関してトレイ２の約６０°の望ましくは回転である。
【００４９】
トレイ２で動作機構３の動作は、行程終了に接近するとき、もっと正確には位置“Ａ”に接近するとき、そして位置“Ｃ”で部品間の衝突を避けそしてトレイ２の振動を減らすように望ましくは減速される。
【００５０】
このような振動は排出システムと相互作用する機器に伝わり、システムを不安定にするため有害である。
【００５１】
トレイ２は、位置“Ｃ”に到達すると、排除機構５によってトレイ自身に従前に含まれた弾薬筒から自由にされ、排除機構５は排出される弾薬筒を管路で運ぶため適用される剛体管５１；作動器５２自身に含まれる少なくとも１つの押し出し部分５２１によって弾薬筒をトレイ２から管５１の方へ押し出すために適用される望ましくは水力学的の少なくとも排除作動器５２を含む。
【００５２】
剛体管５１は銃器に含まれる種々の機器の方法で当たらないように上記銃尾１４上に望ましくは固定される。
【００５３】
前記作動器５２はトレイ２の回転の方法で当たらないような位置、望ましくは管５１に平行に配置される。それは管５１および箱形構造体１１の両方に望ましくは固定される少なくとも１つの支持棒５４によってトレイ２の上方に支持される。
【００５４】
トレイ２の動作の方法で当たらないよう、また配置される押し出し部分５２１は作動器５２、および作動器５２が活性化されるとき、支持棒５４に沿ってこのような部分５２１と一緒にガイドに沿って滑走するために適用される少なくとも１つの滑走ブロック５２２の両者に固定される。
【００５５】
トレイ２が管５１と一直線になる位置“Ｃ”にあるとき、排除位置付けのための信号は制御装置に到達する。
【００５６】
制御機器は位置付け信号を受信すると最大伸張の点にある作動器５２を活性化し、作動器５２はトレイ２の細溝２４で管路を運ばれる部分５２１を動かす。
【００５７】
このような細溝２４は、押し出し部分５２１に弾薬筒をトレイ２自身からもっと容易に排出させるように、トレイ２の全長に沿って望ましくは形成される。
【００５８】
前記部分５２１は弾薬筒をトレイ２から管５１の方へ押し出す弾薬筒の底に対して力を掛ける。
【００５９】
排除機構５は、弾薬筒で作動器５２の押し出しが管５１を越えて弾薬筒を押し出すために不十分である場合に活性化するさらなる戻り防止機器５３をまた含む。
【００６０】
前記機器５３は、弾薬筒がトレイ２に方に戻る場合に、作動器５２からの押し出しが管５１から弾薬筒を取り出すために十分強くないので、管５１内に設置される停止部分５３１からなる。
【００６１】
前記機器は、銃器１が傾斜の高い角度であり、作動器５２の押し出しが弾薬筒に対して管５１を越して通過するため不十分であり得る場合に優位である。
【００６２】
弾薬筒がトレイ２から排出されるとき、制御機器は他の弾薬筒を受け入れるように位置“Ａ”に戻ることに同意するトレイ２を与えるこの方法で好結果である排除の信号を受信する。
【００６３】
制御機器は位置“Ｃ”から位置“Ｂ”を通過し位置“Ａ”に通過するように動作機構３を作動させる。
【００６４】
トレイ２の第２の位置（Ｃ）から第１の位置（Ａ）に通過するとき、制御機器は、装填機構がなおその操作段階を実行している場合に、動作機構３に新しい弾薬筒を受け入れるようにトレイ２を第１の位置“Ａ”に戻させる前に、装填機構に対してその操作段階を終了することを可能する。
【００６５】
次の実施態様において、前記する場合の位置“Ａ”に到達する前に、動作機構３は、位置“Ｂ”がバイパス弁の手段によって到達されると減速される。
【００６６】
トレイ２の位置“Ｃ”から位置“Ａ”への動作は装填機構に種々の機構間の衝突あるいは衝撃を起こすことなくその操作段階を終結させるに十分大きく減速される。
【００６７】
降下の減速はバイパス弁の開放によって作動器３１に接続される油圧回路の圧力を減じることによって望ましくは起きる。
【００６８】
さらなる実施態様は、例えば、位置“Ｂ”にトレイ２を停止し、制御機器が装填機構から装填の終了の信号を受信するまで位置“Ｂ”に留まることを予知する。
【００６９】
このような命令が受信されると、制御機器はトレイ２を位置“Ｂ”から位置“Ａ”に運ぶように動作機構３を作動させる。
【００７０】
動作機構３が操作に失敗する場合には、弾薬筒を排出するためのシステムは、作動器３１が操作することなく、このようなトレイ２の動作をピン１１１の周囲で遊びを作るこのようなトレイ２に及ぼす抵抗力から、位置“Ａ”でトレイ２を自由にするために適用される安全機構を含む。
【００７１】
前記解決は新しい弾薬が銃器１に装填されるとき、装填機構の方法で始動からこのようなトレイ２を防止する。
【００７２】
前記安全機構は作動器３１を制御する油圧回路に接続される少なくとも１つの逃がし弁を含む。
【００７３】
望ましくは最大の圧力の弁であるこのような逃がし弁は、装填機構が位置“Ａ”から動かされるこのようなトレイ２なしに一定の操作段階に到達する場合にのみ作動される。
【００７４】
詳細には、装填機構がトレイ２に圧力をかけるとき、逃がし弁はこのようなトレイ２の動作に対抗する作動器３１の油圧回路内の圧力の増大によって開く。
【００７５】
逃がし弁は開かれ、このような弁の制限圧力が、望ましくは２０Ｂａｒ（２ＭＰａ）を超過されるので、作動器３１の油圧回路を空にする。
【００７６】
このような弁が開かれると、作動器３１の油圧回路はトレイ２にピン１１１の周囲の動作で待機させることから解放される。
【００７７】
前記の場合の装填機構の操作段階は停止しないで、むしろ新しい弾薬の装填を続ける。
【００７８】
このような状況で、トレイ２はトレイ２が自由に動くので装填機構の構造体によって、例えば、位置“Ｂ”に機械的に動かされる。
【００７９】
トレイ２は、トレイ２がなお遊んでいるので位置“Ａ”に戻ったあと装填機構がその操作段階を終了するまで、このような位置に保持される。
【００８０】
発射体がこのような条件で装填された後、警報は、機構３の機能喪失、作動器３１の油圧回路の空になったことおよびトレイ２の遊び動作を示す制御回路によって活性化さる。
【００８１】
前記解決は、例えば、トレイ２を機構間の衝撃による回復されない損害を引き起こすことなく位置“Ｂ”に動かすことを可能とする。
【００８２】
別の実施態様において、油圧回路に接続され、例えば、位置“Ｃ”あるいは位置“Ｂ”にトレイ２を動かす安全作動器は、動作機構３の機能喪失の場合において、逃がし弁が例えば装填機構の動力の一部を使用するトレイ２を解放したあとまた含まれる。
【００８３】
弾薬筒を排出するためのこのようなシステムで、銃器１の発火頻度を増加することは、発火薬室１２から弾薬筒を排出する段階が装填機構によって新しい弾薬の装填の段階と同時に行われるので可能である。
【００８４】
このような排出するシステムで、新しい弾薬を装填する段階は、トレイ２の位置“Ｂ”のあと、弾薬筒を排出するためのシステムが装填機構の方法で始動しないので、トレイ２が位置“Ｂ”に到達する時間に合算される弾薬筒が出てくる時間に相当する非常に僅かな遅れで起きる。
【符号の説明】
【００８５】
１      銃器
１１    箱形構造体
１１１  ピン
１１２  支持フランジ
１２    発火薬室
１３    銃身
１４    銃尾
２      トレイ
２１    鉤留め部分
２２    弾薬筒保持機器
２２１  接触部分
２３    制動機器
２３１  接触板
２３２  梃子機構
２３３  衝撃吸収器
２４    細溝
２５    緩衝器
３      動作機構
３１    動作作動器
３２    ギア機構
５      弾薬筒排除機構
５１    剛体管
５２    排除作動器
５２１  押し出し部分
５２２  滑走ブロック
５３    戻り防止機器
５３１  停止部分
５４    支持棒
位置Ａ
位置Ｂ
位置Ｃ
軸Ｘ
【図１】
0005917843.tif 000002
【図２】
0005917843.tif 000003
【図３】
0005917843.tif 000004
【図４】
0005917843.tif 000005
【図５】
0005917843.tif 000006
【図６Ａ】
0005917843.tif 000007
【図６Ｂ】
0005917843.tif 000008
【図７】
0005917843.tif 000009
【図８】
0005917843.tif 000010
【図９】
0005917843.tif 000011